(57)【要約】【課題】ハンドオーバにおける効率化を図ることができる端末装置などを提供する。【解決手段】端末装置（移動端末装置２１−１）は、基地局装置（マクロ基地局装置１−１〜１−２や小セル基地局装置２−１〜２−３）との間で無線により通信する無線通信部と、前記無線通信部により、主となる基地局装置（ＰＣｅｌｌ）との間で無線通信が可能となるように接続するとともに、従となる基地局装置（ＳＣｅｌｌ）との間で無線通信が可能となるように接続する接続制御部と、前記主となる基地局装置のハンドオーバの失敗の発生に関する情報を前記無線通信部により前記従となる基地局装置へ無線により送信するハンドオーバ情報送信制御部と、を備えることを特徴とする。【選択図】図１
2014165825.tif 000002
【特許請求の範囲】
【請求項１】
基地局装置との間で無線により通信する無線通信部と、
前記無線通信部により、主となる基地局装置との間で無線通信が可能となるように接続するとともに、従となる基地局装置との間で無線通信が可能となるように接続する接続制御部と、
前記主となる基地局装置のハンドオーバの失敗の発生に関する情報を前記無線通信部により前記従となる基地局装置へ無線により送信するハンドオーバ情報送信制御部と、
を備えることを特徴とする端末装置。
【請求項２】
前記ハンドオーバ情報送信制御部は、前記主となる基地局装置のハンドオーバの失敗の発生時にハンドオーバの実行に関するＭＲの送信条件を満たしている場合には、前記従となる基地局装置へ送信するメッセージに、接続していた前記主となる基地局装置のセル番号、接続していた前記主となる基地局装置における自己の管理番号、及び、ハンドオーバ失敗の発生時に送信条件を満たしていたＭＲについて、最大の受信電力若しくは受信品質を持つ基地局装置のセル番号を含める、
ことを特徴とする請求項１に記載の端末装置。
【請求項３】
前記ハンドオーバ情報送信制御部は、前記主となる基地局装置のハンドオーバの失敗の発生時にハンドオーバの実行に関するＭＲの送信条件を満たしていない場合には、前記従となる基地局装置へ送信するメッセージに、接続していた前記主となる基地局装置のセル番号、及び、接続していた前記主となる基地局装置における自己の管理番号を含める、
ことを特徴とする請求項１又は請求項２に記載の端末装置。
【請求項４】
端末装置との間で無線により通信する無線通信部と、
従となる基地局装置として前記無線通信部により端末装置との間で無線通信が可能であるように接続しているときに、前記端末装置から主となる基地局装置のハンドオーバの失敗の発生に関する情報を受信する従情報受信制御部と、
前記従情報受信制御部により受信した情報のうちの全部又は一部の情報を前記主となる基地局装置へ送信する従情報送信制御部と、
を備えることを特徴とする基地局装置。
【請求項５】
端末装置との間で無線により通信する無線通信部と、
従となる基地局装置から情報を受信する主情報受信制御部と、
主となる基地局装置として前記無線通信部により端末装置との間で無線通信が可能であるように接続していた当該端末装置において、ハンドオーバの失敗の発生時にハンドオーバの実行に関するＭＲの送信条件を満たしている場合に、前記主情報受信制御部により受信した情報に含まれる最大の受信電力若しくは受信品質を持つ基地局装置のセル番号を参照し、当該セル番号に対応する基地局装置について、ハンドオーバが遅すぎたことの発生を記録する主ハンドオーバ情報記録制御部と、
を備えることを特徴とする基地局装置。
【請求項６】
端末装置との間で無線により通信する無線通信部と、
従となる基地局装置から情報を受信する主情報受信制御部と、
主となる基地局装置として前記無線通信部により端末装置との間で無線通信が可能であるように接続していた当該端末装置において、ハンドオーバの失敗の発生時にハンドオーバの実行に関するＭＲの送信条件を満たしていない場合に、前記主情報受信制御部により受信した情報に含まれる前記端末装置の管理番号を参照し、当該管理番号に対応する前記端末装置が所定の期間以内に他の基地局装置からハンドオーバにより移行してきたか否かを判定し、そうであると判定した場合に、ハンドオーバ元の基地局装置に対して所定のハンドオーバレポートのメッセージを送信する主情報送信制御部と、
を備えることを特徴とする基地局装置。
【請求項７】
端末装置と、複数の基地局装置を有し、
前記端末装置は、主となる基地局装置のハンドオーバの失敗の発生に関する情報を従となる基地局装置へ無線により送信し、
前記従となる基地局装置は、前記端末装置から前記主となる基地局装置のハンドオーバの失敗の発生に関する情報を受信して、受信した情報のうちの全部又は一部の情報を前記主となる基地局装置へ送信し、
前記主となる基地局装置は、前記従となる基地局装置から前記情報を受信する、
ことを特徴とする通信システム。
【請求項８】
端末装置は、主となる基地局装置のハンドオーバの失敗の発生に関する情報を従となる基地局装置へ無線により送信し、
前記従となる基地局装置は、前記端末装置から前記主となる基地局装置のハンドオーバの失敗の発生に関する情報を受信して、受信した情報のうちの全部又は一部の情報を前記主となる基地局装置へ送信し、
前記主となる基地局装置は、前記従となる基地局装置から前記情報を受信する、
ことを特徴とする通信方法。
【発明の詳細な説明】
【技術分野】
【０００１】
本発明は、端末装置、基地局装置、通信システム及び通信方法に関する。
【背景技術】
【０００２】
３ＧＰＰで検討されているＬＴＥ−Ａｄｖａｎｃｅｄシステムでは、周波数利用効率とピークスループットの向上を目的として、複数の周波数帯域（コンポーネントキャリア（ＣＣ：Ｃｏｍｐｏｎｅｎｔ  Ｃａｒｒｉｅｒ））を同時に使用するキャリアアグリゲーション（ＣＡ：Ｃａｒｒｉｅｒ  Ａｇｇｒｅｇａｔｉｏｎ）技術が採用されている（非特許文献１参照。）。
【０００３】
キャリアアグリゲーションの一つの形態であるインターサイト  キャリアアグリゲーション（Ｉｎｔｅｒ−Ｓｉｔｅ  ＣＡ）では、移動端末装置（ＵＥ：Ｕｓｅｒ  Ｅｑｕｉｐｍｅｎｔ）は、異なる場所に設置された複数の基地局装置（ｅＮＢ：Ｅ−ＵＴＲＡＮ  ＮｏｄｅＢ）と同時に接続し、基地局装置毎に異なる周波数帯域（ＣＣ）を使用して通信する。
更に、基地局装置と移動端末装置との通信において、Ｃ−ＰｌａｎｅとＵ−Ｐｌａｎｅを分離して、それぞれを異なる基地局装置を介して伝送するネットワーク形態が提案されている（非特許文献２参照。）。
【０００４】
ここで、マクロセル（Ｍａｃｒｏ  Ｃｅｌｌ）のマクロ基地局装置とは、主に移動端末装置のカバレッジ確保のために広くエリア展開される基地局装置を指し、一例として８００ＭＨｚ帯などのキャリア周波数の帯域が利用される。また、小セル（Ｓｍａｌｌ  Ｃｅｌｌ）の小セル基地局装置とは、容量拡大のためにスポット的に設置されるカバレッジが狭い基地局装置を指し、一例として３．４ＧＨｚ帯などの高周波数の帯域が利用される。
また、キャリアアグリゲーションにおいて、移動端末装置と基地局装置とのＲＲＣ（Ｒａｄｉｏ  Ｒｅｓｏｕｒｃｅ  Ｃｏｎｔｒｏｌ）接続を管理する基地局装置をＰＣｅｌｌ（Ｐｒｉｍａｒｙ  Ｃｅｌｌ）と呼び、それ以外の基地局装置をＳＣｅｌｌ（Ｓｅｃｏｎｄａｒｙ  Ｃｅｌｌ）と呼ぶ。また、Ｃ−Ｐｌａｎｅは移動端末装置の接続管理やモビリティ制御を行うためのプロトコルであり、Ｕ−Ｐｌａｎｅはユーザトラヒックやスケジューリング情報の送受信に関するプロトコルである。
【０００５】
また、下りリンク（ＤＬ：Ｄｏｗｎ  Ｌｉｎｋ）は、基地局装置から移動端末装置への方向の通信を表し、上りリンク（ＵＬ：Ｕｐ  Ｌｉｎｋ）は、移動端末装置から基地局装置への方向の通信を表す。
【先行技術文献】
【非特許文献】
【０００６】
【非特許文献１】３ＧＰＰ  ＴＳ３６．３００  ｖ１１．３．０、  “Ｅ−ＵＴＲＡ  ａｎｄ  Ｅ−ＵＴＲＡＮ  ｏｖｅｒａｌｌ  ｄｅｓｃｒｉｐｔｉｏｎ”、  ２０１２−０９．
【非特許文献２】ＮＴＴ  ＤＯＣＯＭＯ  ＩＮＣ．、  “Ｒｅｑｕｉｒｅｍｅｎｔｓ，  Ｃａｎｄｉｄａｔｅ  Ｓｏｌｕｔｉｏｎｓ  ＆  Ｔｅｃｈｎｏｌｏｇｙ  Ｒｏａｄｍａｐ  ｆｏｒ  ＬＴＥ  Ｒｅｌ−１２  Ｏｎｗａｒｄ”、  ３ＧＰＰ  Ｗｏｒｋｓｈｏｐ  ｏｎ  Ｒｅｌｅａｓｅ  １２  ａｎｄ  ｏｎｗａｒｄｓ、  ＲＷＳ−１２００１０、  Ｊｕｎｅ  １１−１２、  ２０１２．
【非特許文献３】３ＧＰＰ  ＴＳ３６．３３１  ｖ１１．１．０、  “Ｅ−ＵＴＲＡ  ＲＲＣ  Ｐｒｏｔｏｃｏｌ  ｓｐｅｃｉｆｉｃａｔｉｏｎ”、  ２０１２−０９．
【発明の概要】
【発明が解決しようとする課題】
【０００７】
図７は、ＰＣｅｌｌのハンドオーバ（ＨＯ：Ｈａｎｄｏｖｅｒ）の失敗とその検出（検知）の例を説明するための図である。
図７に示される通信システムは、２個のマクロ基地局装置１００１−１〜１００１−２と、小セル基地局装置１００２−１と、移動端末装置１０２１−１ａを備える。また、図７には、各マクロ基地局装置１００１−１〜１００１−２のセル（通信領域）１０１１−１〜１０１１−２と、小セル基地局装置１００２−１のセル（通信領域）１０１２−１を示してあり、図７の例では、２個のマクロ基地局装置１００１−１〜１００１−２のセル１０１１−１〜１０１１−２と小セル基地局装置１００２−１のセル１０１２−１は、互いに重複する領域（エリア）を有している。また、図７には、移動端末装置１０２１−１ａが移動したものを、移動端末装置１０２１−１ｂとして示してある。
【０００８】
移動端末装置１０２１−１ａについて、マクロ基地局装置１００１−１がＰＣｅｌｌでありＣ−Ｐｌａｎｅを通信し、小セル基地局装置１００２−１がＳＣｅｌｌでありＵ−Ｐｌａｎｅを通信する、とする。また、マクロ基地局装置１００１−１のセル１０１１−１に存在する移動端末装置１０２１−１ａの位置からマクロ基地局装置１００１−２のセル１０１１−２に存在する移動端末装置１０２１−１ｂの位置へ、移動端末装置１０２１−１ａが移動する、とする。通信システムでは、次の処理（１）〜（４）を行う。
【０００９】
（１）移動端末装置１０２１−１ａのＰＣｅｌｌについてマクロ基地局装置１００１−１からマクロ基地局装置１００１−２へのハンドオーバの処理が実行中であるとき又は実行前であるときに、移動端末装置１０２１−１ａとＰＣｅｌｌとの通信品質が劣化し、移動端末装置１０２１−１ａとＰＣｅｌｌとの通信接続の切断（通信接続断）が発生すると、移動端末装置１０２１−１ａとＳＣｅｌｌとの通信品質に関わらず、移動端末装置１０２１−１ａと基地局ネットワークとの接続が切断される。これにより、ハンドオーバの失敗が発生する。
【００１０】
（２）移動端末装置１０２１−１ａ（例えば、移動端末装置１０２１−１ｂの位置に存在するとき）は、マクロ基地局装置１００１−２をＰＣｅｌｌとして再接続する。
（３）すると、マクロ基地局装置１００１−２は、移動端末装置１０２１−１ａのハンドオーバの失敗を検出（検知）する。
（４）すると、マクロ基地局装置１００１−２は、回線（例えば、バックボーン回線であるＸ２回線やＳ１回線など）を介して、マクロ基地局装置１００１−１へＲＬＦ（Ｒａｄｉｏ  Ｌｉｎｋ  Ｆａｉｌｕｒｅ）  ＩＮＤＩＣＡＴＩＯＮのメッセージを送信して通知する。これにより、マクロ基地局装置１００１−１は、移動端末装置１０２１−１ａのハンドオーバの失敗を検出（認識）する（非特許文献１の２２．４．２．２  Ｃｏｎｎｅｃｔｉｏｎ  ｆａｉｌｕｒｅ  ｄｕｅ  ｔｏ  ｉｎｔｒａ−ＬＴＥ  ｍｏｂｉｌｉｔｙを参照。）。
【００１１】
上記のような処理（１）〜（４）において、基地局ネットワークでは、前記（１）において移動端末装置１０２１−１ａとＰＣｅｌｌとの通信が切断した後から、前記（２）において移動端末装置１０２１−１ａと新たな基地局装置（図７の例では、マクロ基地局装置１００１−２）との再接続が完了するまで、移動端末装置１０２１−１ａのハンドオーバの失敗の発生を認識することができないという問題があった。また、ハンドオーバの失敗が発生した時刻や場所等の情報を移動端末装置１０２１−１ａが基地局ネットワークに通知する場合には、移動端末装置１０２１−１ａは、前記（２）において新たな基地局装置との再接続が完了するまで、それらの情報を自己のメモリ上に保持しなければならないという問題があった。
【００１２】
本発明は、このような事情を考慮してなされたもので、ハンドオーバにおける効率化を図ることができる端末装置、基地局装置、通信システム及び通信方法を提供することを課題とする。
【課題を解決するための手段】
【００１３】
（１）上記の課題を解決するために、本発明に係る端末装置は、基地局装置との間で無線により通信する無線通信部と、前記無線通信部により、主となる基地局装置との間で無線通信が可能となるように接続するとともに、従となる基地局装置との間で無線通信が可能となるように接続する接続制御部と、前記主となる基地局装置のハンドオーバの失敗の発生に関する情報を前記無線通信部により前記従となる基地局装置へ無線により送信するハンドオーバ情報送信制御部と、を備えることを特徴とする。
【００１４】
（２）本発明は、上記した（１）に記載の端末装置において、前記ハンドオーバ情報送信制御部は、前記主となる基地局装置のハンドオーバの失敗の発生時にハンドオーバの実行に関するＭＲ（Ｍｅａｓｕｒｅｍｅｎｔ  Ｒｅｐｏｒｔ）の送信条件を満たしている場合には、前記従となる基地局装置へ送信するメッセージに、接続していた前記主となる基地局装置のセル番号、接続していた前記主となる基地局装置における自己の管理番号、及び、ハンドオーバ失敗の発生時に送信条件を満たしていたＭＲについて、最大の受信電力若しくは受信品質を持つ基地局装置のセル番号を含める、ことを特徴とする。
【００１５】
（３）本発明は、上記した（１）又は上記した（２）に記載の端末装置において、前記ハンドオーバ情報送信制御部は、前記主となる基地局装置のハンドオーバの失敗の発生時にハンドオーバの実行に関するＭＲの送信条件を満たしていない場合には、前記従となる基地局装置へ送信するメッセージに、接続していた前記主となる基地局装置のセル番号、及び、接続していた前記主となる基地局装置における自己の管理番号を含める、ことを特徴とする。
【００１６】
（４）上記の課題を解決するために、本発明に係る基地局装置は、端末装置との間で無線により通信する無線通信部と、従となる基地局装置として前記無線通信部により端末装置との間で無線通信が可能であるように接続しているときに、前記端末装置から前記主となる基地局装置のハンドオーバの失敗の発生に関する情報を受信する従情報受信制御部と、前記従情報受信制御部により受信した情報のうちの全部又は一部の情報を前記主となる基地局装置へ送信する従情報送信制御部と、を備えることを特徴とする。
【００１７】
（５）上記の課題を解決するために、本発明に係る基地局装置は、端末装置との間で無線により通信する無線通信部と、従となる基地局装置から情報を受信する主情報受信制御部と、主となる基地局装置として前記無線通信部により端末装置との間で無線通信が可能であるように接続していた当該端末装置において、ハンドオーバの失敗の発生時にハンドオーバの実行に関するＭＲの送信条件を満たしている場合に、前記主情報受信制御部により受信した情報に含まれる最大の受信電力若しくは受信品質を持つ基地局装置のセル番号を参照し、当該セル番号に対応する基地局装置について、ハンドオーバが遅すぎたことの発生を記録する主ハンドオーバ情報記録制御部と、を備えることを特徴とする。
【００１８】
（６）上記の課題を解決するために、本発明に係る基地局装置は、端末装置との間で無線により通信する無線通信部と、従となる基地局装置から情報を受信する主情報受信制御部と、主となる基地局装置として前記無線通信部により端末装置との間で無線通信が可能であるように接続していた当該端末装置において、ハンドオーバの失敗の発生時にハンドオーバの実行に関するＭＲの送信条件を満たしていない場合に、前記主情報受信制御部により受信した情報に含まれる前記端末装置の管理番号を参照し、当該管理番号に対応する前記端末装置が所定の期間以内に他の基地局装置からハンドオーバにより移行してきたか否かを判定し、そうであると判定した場合に、ハンドオーバ元の基地局装置に対して所定のハンドオーバレポートのメッセージを送信する主情報送信制御部と、を備えることを特徴とする。
【００１９】
（７）上記の課題を解決するために、本発明に係る通信システムは、端末装置と、複数の基地局装置を有し、前記端末装置は、主となる基地局装置のハンドオーバの失敗の発生に関する情報を従となる基地局装置へ無線により送信し、前記従となる基地局装置は、前記端末装置から前記主となる基地局装置のハンドオーバの失敗の発生に関する情報を受信して、受信した情報のうちの全部又は一部の情報を前記主となる基地局装置へ送信し、前記主となる基地局装置は、前記従となる基地局装置から前記情報を受信する、ことを特徴とする。
【００２０】
（８）上記の課題を解決するために、本発明に係る通信方法は、端末装置は、主となる基地局装置のハンドオーバの失敗の発生に関する情報を従となる基地局装置へ無線により送信し、前記従となる基地局装置は、前記端末装置から前記主となる基地局装置のハンドオーバの失敗の発生に関する情報を受信して、受信した情報のうちの全部又は一部の情報を前記主となる基地局装置へ送信し、前記主となる基地局装置は、前記従となる基地局装置から前記情報を受信する、ことを特徴とする。
【発明の効果】
【００２１】
本発明によれば、ハンドオーバにおける効率化を図ることができる。
【図面の簡単な説明】
【００２２】
【図１】本発明の一実施形態に係る通信システムの概略的な構成を示すブロック図である。
【図２】本発明の一実施形態に係る移動端末装置の概略的な構成を示すブロック図である。
【図３】本発明の一実施形態に係るマクロ基地局装置の概略的な構成を示すブロック図である。
【図４】本発明の一実施形態に係る小セル基地局装置の概略的な構成を示すブロック図である。
【図５】本発明の一実施形態に係る通信システムにおいて行われる処理（ＰＣｅｌｌのハンドオーバの失敗が発生したときに移動端末装置とＳＣｅｌｌとの無線リンクを介してハンドオーバの失敗を検出する処理）の例を説明するための図である。
【図６】ハンドオーバの手続きの一例を示すシーケンス図である。
【図７】ＰＣｅｌｌのハンドオーバの失敗とその検出の例を説明するための図である。
【発明を実施するための形態】
【００２３】
以下、図面を参照し、本発明の実施形態について説明する。
＜本実施形態に係る通信システムの構成＞
本実施形態に係る通信システムでは、Ｃ−ＰｌａｎｅのデータはＰＣｅｌｌを介して送受信され、Ｕ−ＰｌａｎｅのデータはＰＣｅｌｌとＳＣｅｌｌとのいずれか一方、若しくは、両方を介して送受信されるとする。また、本実施形態に係る通信システムでは、マクロ基地局装置と小セル基地局装置は、それぞれ、ＰＣｅｌｌとして接続することもでき、ＳＣｅｌｌとして接続することもできるとする。
【００２４】
図１は、本発明の一実施形態に係る通信システムの概略的な構成を示すブロック図である。
本実施形態に係る通信システムは、複数（図１の例では、２個示す。）のマクロ基地局装置１−１〜１−２と、複数（図１の例では、３個示す。）の小セル基地局装置２−１〜２−３と、複数（図１の例では、１個のみ示す。）の移動端末装置（端末装置の一例）２１−１を備える。また、図１には、各マクロ基地局装置１−１〜１−２のセル（通信領域）１１−１〜１１−２と、各小セル基地局装置２−１〜２−３のセル（通信領域）１２−１〜１２−３を示してある。
【００２５】
図１の例では、小セル基地局装置２−１〜２−２のセル１２−１〜１２−２は、マクロ基地局装置１−１のセル１１−１に含まれており、また、２個のマクロ基地局装置１−１〜１−２のセル１１−１〜１１−２と１個の小セル基地局装置２−３のセル１２−３は、互いに重複する領域（エリア）を有している。
図１の例では、移動端末装置２１−１について、マクロ基地局装置１−１がＰＣｅｌｌでありＣ−Ｐｌａｎｅのデータ（信号）を通信し、小セル基地局装置２−１がＳＣｅｌｌでありＵ−Ｐｌａｎｅのデータ（信号）を通信する。
【００２６】
本実施形態では、各マクロ基地局装置１−１〜１−２と各小セル基地局装置２−１〜２−３は、互いに直接又は間接に通信することが可能となるように接続されている。この通信としては、例えば、有線の通信が用いられてもよく、又は、無線の通信が用いられてもよい。
本実施形態に係る通信システムでは、移動端末装置２１−１は、Ｃ／Ｕ分離を用いたマクロ基地局装置１−１〜１−２と小セル基地局装置２−１〜２−３との同時通信が可能である。
なお、通信システムにおいて、マクロ基地局装置の数や、小セル基地局装置の数や、移動端末装置の数としては、それぞれ、様々な数が用いられてもよい。
【００２７】
＜本実施形態に係る移動端末装置の構成＞
図２は、本発明の一実施形態に係る移動端末装置の概略的な構成を示すブロック図である。本実施形態では、各移動端末装置は同様な構成を有し同様な動作を行うため、これらをまとめて移動端末装置２１として説明する。
本実施形態に係る移動端末装置２１は、アンテナ１０１と、無線通信部１０２と、入力部１０３と、出力部１０４と、記憶部１０５と、制御部１０６を備える。
制御部１０６は、接続制御部２０１と、ハンドオーバ情報送信制御部２０２を備える。
【００２８】
アンテナ１０１は、無線の信号を通信（送信及び受信）する。
無線通信部１０２は、送信対象の信号を処理してアンテナ１０１から無線により送信し、アンテナ１０１により受信された無線の信号を処理する。無線通信部１０２は、例えば、基地局装置（本実施形態では、マクロ基地局装置１−１〜１−２や小セル基地局装置２−１〜２−３）との間で無線により通信する。
入力部１０３は、外部からの入力を行う。入力部１０３は、例えば、ユーザ（人）により行われる操作を受け付ける操作部を有する。操作部は、例えば、タッチパネル或いはキーなどから構成される。また、入力部１０３は、例えば、外部から音（例えば、音声）を入力する音声入力部を有する。また、入力部１０３は、例えば、外部のメモリ或いは装置などからデータを入力するデータ入力部を有する。
出力部１０４は、外部への出力を行う。出力部１０４は、例えば、情報を画面に表示する表示部を有する。表示部は、例えば、液晶画面などから構成される。また、出力部１０４は、例えば、外部へ音（例えば、音声）を出力する音声出力部を有する。また、出力部１０４は、例えば、外部のメモリ或いは装置などへデータを出力するデータ出力部を有する。
記憶部１０５は、各種の情報を記憶する。記憶部１０５は、例えば、メモリから構成される。記憶部１０５は、例えば、制御部１０６などのプロセッサにより処理されるプログラムを記憶する。
制御部１０６は、各種の処理や制御を行う。
【００２９】
接続制御部２０１は、無線通信部１０２により、ＰＣｅｌｌとの間で無線通信が可能となるように接続する機能、及び、無線通信部１０２により、ＳＣｅｌｌとの間で無線通信が可能となるように接続する機能を有する。
ハンドオーバ情報送信制御部２０２は、ＰＣｅｌｌのハンドオーバの失敗の発生に関する情報を無線通信部１０２によりＳＣｅｌｌへ無線により送信する。
一例として、ハンドオーバ情報送信制御部２０２は、ＰＣｅｌｌのハンドオーバの失敗の発生時にハンドオーバの実行に関するＭＲの送信条件を満たしている場合には、ＳＣｅｌｌへ送信するメッセージに、接続していたＰＣｅｌｌのセル番号、接続していたＰＣｅｌｌにおける自己の管理番号、及び、ハンドオーバ失敗の発生時に送信条件を満たしていたＭＲについて、最大の受信電力（若しくは、受信品質）を持つ基地局装置のセル番号を含める。
他の一例として、ハンドオーバ情報送信制御部２０２は、ＰＣｅｌｌのハンドオーバの失敗の発生時にハンドオーバの実行に関するＭＲの送信条件を満たしていない場合には、ＳＣｅｌｌへ送信するメッセージに、接続していたＰＣｅｌｌのセル番号、及び、接続していたＰＣｅｌｌにおける自己の管理番号を含める。
【００３０】
＜本実施形態に係るマクロ基地局装置の構成＞
図３は、本発明の一実施形態に係るマクロ基地局装置の概略的な構成を示すブロック図である。本実施形態では、各マクロ基地局装置は同様な構成を有し同様な動作を行うため、これらをまとめてマクロ基地局装置１として説明する。
本実施形態に係るマクロ基地局装置１は、アンテナ１２１と、無線通信部１２２と、通信部１２３と、記憶部１２４と、制御部１２５を備える。
制御部１２５は、従情報受信制御部３０１と、従情報送信制御部３０２と、主情報受信制御部３０３と、主情報送信制御部３０４と、主ハンドオーバ情報記録制御部３０５を備える。
【００３１】
アンテナ１２１は、無線の信号を通信（送信及び受信）する。
無線通信部１２２は、送信対象の信号を処理してアンテナ１２１から無線により送信し、アンテナ１２１により受信された無線の信号を処理する。無線通信部１２２は、例えば、移動端末装置２１−１との間で無線により通信する。
通信部１２３は、他の基地局装置（マクロ基地局装置及び小セル基地局装置）との間で情報を通信（送信及び受信）する。この通信は、例えば、有線の回線を介して行われてもよく、又は、無線の回線を介して行われてもよい。
記憶部１２４は、各種の情報を記憶する。記憶部１２４は、例えば、メモリから構成される。記憶部１２４は、例えば、制御部１２５などのプロセッサにより処理されるプログラムを記憶する。また、記憶部１２４は、例えば、無線通信が可能であるように接続している移動端末装置２１−１に関する情報（例えば、管理するための情報）を記憶する。
制御部１２５は、各種の処理や制御を行う。
【００３２】
従情報受信制御部３０１は、ＳＣｅｌｌとして無線通信部１２２により移動端末装置２１−１との間で無線通信が可能であるように接続しているときに、移動端末装置２１−１からＰＣｅｌｌのハンドオーバの失敗の発生に関する情報を受信する。
従情報送信制御部３０２は、従情報受信制御部３０１により受信した情報のうちの全部（又は、一部）の情報をＰＣｅｌｌへ送信する。
主情報受信制御部３０３は、ＳＣｅｌｌから情報を受信する。
主ハンドオーバ情報記録制御部３０５は、ＰＣｅｌｌとして無線通信部１２２により移動端末装置２１−１との間で無線通信が可能であるように接続していた当該移動端末装置２１−１において、ハンドオーバの失敗の発生時にハンドオーバの実行に関するＭＲの送信条件を満たしている場合に、主情報受信制御部３０３により受信した情報に含まれる最大の受信電力（若しくは、受信品質）を持つ基地局装置のセル番号を参照し、当該セル番号に対応する基地局装置について、ハンドオーバが遅すぎたことの発生を記録する。
主情報送信制御部３０４は、ＰＣｅｌｌとして無線通信部１２２により移動端末装置２１−１との間で無線通信が可能であるように接続していた当該移動端末装置２１−１において、ハンドオーバの失敗の発生時にハンドオーバの実行に関するＭＲの送信条件を満たしていない場合に、主情報受信制御部３０３により受信した情報に含まれる移動端末装置２１−１の管理番号を参照し、当該管理番号に対応する移動端末装置２１−１が所定の期間以内に他の基地局装置からハンドオーバにより移行してきたか否かを判定し、そうであると判定した場合に、ハンドオーバ元の基地局装置に対して所定のハンドオーバレポートのメッセージを送信する。
【００３３】
＜本実施形態に係る小セル基地局装置の構成＞
図４は、本発明の一実施形態に係る小セル基地局装置の概略的な構成を示すブロック図である。本実施形態では、各小セル基地局装置は同様な構成を有し同様な動作を行うため、これらをまとめて小セル基地局装置２として説明する。
本実施形態に係る小セル基地局装置２は、アンテナ１４１と、無線通信部１４２と、通信部１４３と、記憶部１４４と、制御部１４５を備える。
制御部１４５は、従情報受信制御部４０１と、従情報送信制御部４０２と、主情報受信制御部４０３と、主情報送信制御部４０４と、主ハンドオーバ情報記録制御部４０５を備える。
【００３４】
アンテナ１４１は、無線の信号を通信（送信及び受信）する。
無線通信部１４２は、送信対象の信号を処理してアンテナ１４１から無線により送信し、アンテナ１４１により受信された無線の信号を処理する。無線通信部１４２は、例えば、移動端末装置２１−１との間で無線により通信する。
通信部１４３は、他の基地局装置（マクロ基地局装置及び小セル基地局装置）との間で情報を通信（送信及び受信）する。この通信は、例えば、有線の回線を介して行われてもよく、又は、無線の回線を介して行われてもよい。
記憶部１４４は、各種の情報を記憶する。記憶部１４４は、例えば、メモリから構成される。記憶部１４４は、例えば、制御部１４５などのプロセッサにより処理されるプログラムを記憶する。また、記憶部１４４は、例えば、無線通信が可能であるように接続している移動端末装置２１−１に関する情報（例えば、管理するための情報）を記憶する。
制御部１４５は、各種の処理や制御を行う。
【００３５】
従情報受信制御部４０１は、ＳＣｅｌｌとして無線通信部１４２により移動端末装置２１−１との間で無線通信が可能であるように接続しているときに、移動端末装置２１−１からＰＣｅｌｌのハンドオーバの失敗の発生に関する情報を受信する。
従情報送信制御部４０２は、従情報受信制御部４０１により受信した情報のうちの全部（又は、一部）の情報をＰＣｅｌｌへ送信する。
主情報受信制御部４０３は、ＳＣｅｌｌから情報を受信する。
主ハンドオーバ情報記録制御部４０５は、ＰＣｅｌｌとして無線通信部１４２により移動端末装置２１−１との間で無線通信が可能であるように接続していた当該移動端末装置２１−１において、ハンドオーバの失敗の発生時にハンドオーバの実行に関するＭＲの送信条件を満たしている場合に、主情報受信制御部４０３により受信した情報に含まれる最大の受信電力（若しくは、受信品質）を持つ基地局装置のセル番号を参照し、当該セル番号に対応する基地局装置について、ハンドオーバが遅すぎたことの発生を記録する。
主情報送信制御部４０４は、ＰＣｅｌｌとして無線通信部１４２により移動端末装置２１−１との間で無線通信が可能であるように接続していた当該移動端末装置２１−１において、ハンドオーバの失敗の発生時にハンドオーバの実行に関するＭＲの送信条件を満たしていない場合に、主情報受信制御部４０３により受信した情報に含まれる移動端末装置２１−１の管理番号を参照し、当該管理番号に対応する移動端末装置２１−１が所定の期間以内に他の基地局装置からハンドオーバにより移行してきたか否かを判定し、そうであると判定した場合に、ハンドオーバ元の基地局装置に対して所定のハンドオーバレポートのメッセージを送信する。
【００３６】
＜本実施形態に係る通信システムにおいて行われる処理＞
図５は、本発明の一実施形態に係る通信システムにおいて行われる処理（ＰＣｅｌｌのハンドオーバの失敗が発生したときに移動端末装置とＳＣｅｌｌとの無線リンクを介してハンドオーバの失敗を検出する処理）の例を説明するための図である。
図５には、本処理を説明するための構成として、２個のマクロ基地局装置１−１〜１−２と、小セル基地局装置２−３と、移動端末装置２１−１ａと、各マクロ基地局装置１−１〜１−２のセル１１−１〜１１−２と、小セル基地局装置２−３のセル１２−３を示してある。また、図５には、移動端末装置２１−１ａが移動したものを、移動端末装置２１−１ｂとして示してある。
【００３７】
移動端末装置２１−１ａについて、マクロ基地局装置１−１がＰＣｅｌｌでありＣ−Ｐｌａｎｅのデータ（信号）を通信し、小セル基地局装置２−３がＳＣｅｌｌでありＵ−Ｐｌａｎｅのデータ（信号）を通信する、とする。
本実施形態に係る通信システムでは、概略的には、ＰＣｅｌｌのハンドオーバの失敗が発生したときに、移動端末装置２１−１ａは、ＳＣｅｌｌとの無線リンクを介して、ハンドオーバの失敗を基地局ネットワークへ通知する。
【００３８】
具体例として、本実施形態に係る通信システムでは、次の処理（１）〜（３）を行う。
（１）接続制御部２０１によりマクロ基地局装置１−１をＰＣｅｌｌとして接続しているとともに小セル基地局装置２−３をＳＣｅｌｌとして接続している移動端末装置２１−１ａは、ＰＣｅｌｌのハンドオーバ（図５の例では、マクロ基地局装置１−１からマクロ基地局装置１−２へのハンドオーバ）に失敗した、とする。
【００３９】
（２）移動端末装置２１−１ａは、ハンドオーバ情報送信制御部２０２により、ＰＣｅｌｌのハンドオーバの失敗が発生したことに関する情報を、ＳＣｅｌｌに対して無線送信して通知する。ＳＣｅｌｌは、従情報受信制御部４０１により、この情報を受信する。
ここで、移動端末装置２１−１ａは、ハンドオーバが失敗したタイミングに応じて、ＳＣｅｌｌに通知するメッセージの内容を決定する。ハンドオーバが失敗したタイミングに応じて通知するメッセージの内容を決定する方法としては、例えば、次の（２−ｉ）〜（２−ｉｉ）を用いることができる。
【００４０】
（２−ｉ）図６に示されるようなハンドオーバの手続き（処理の手順）において、（手順１）におけるＭｅａｓｕｒｅｍｅｎｔ  Ｃｏｎｔｒｏｌのメッセージを受信し、ハンドオーバの実行に関するメジャメントレポート（ＭＲ）の送信条件（例えば、非特許文献３の５．５．４  Ｍｅａｓｕｒｅｍｅｎｔ  ｒｅｐｏｒｔ  ｔｒｉｇｇｅｒｉｎｇに記載されるもの）が満たされた後に、（手順７）におけるＲＲＣ  Ｃｏｎｎｅｃｔｉｏｎ  Ｒｅｃｏｎｆｉｇｕｒａｔｉｏｎ（ＲＲＣ  Ｃｏｎｎ．  Ｒｅｃｏｎｆ．）のメッセージの受信に成功するまでに、ハンドオーバが失敗した場合には、移動端末装置２１−１ａは、ハンドオーバ情報送信制御部２０２により、次のような処理を行う。
すなわち、移動端末装置２１−１ａは、接続していたＰＣｅｌｌ（図５の例では、マクロ基地局装置１−１）のセル番号（ＰＣＩ：Ｐｈｙｓｉｃａｌ  Ｃｅｌｌ  Ｉｄｅｎｔｉｆｉｅｒ）、接続していたＰＣｅｌｌにおける移動端末装置２１−１ａの管理番号（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）、及び、ハンドオーバ失敗の発生時に送信条件（Ｅｎｔｅｒｉｎｇ  Ｃｏｎｄｉｔｉｏｎ）を満たしていたＭＲについて、最大の受信電力（ＲＳＲＰ：Ｒｅｆｅｒｅｎｃｅ  Ｓｉｇｎａｌ  Ｒｅｃｅｉｖｅｄ  Ｐｏｗｅｒ）若しくは受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）を持つ基地局装置のセル番号（ＰＣＩ）を、メッセージに含めて、ＳＣｅｌｌ（図５の例では、小セル基地局装置２−３）に対して無線送信して通知する。ただし、受信電力及び受信品質は、ＭＲ送信条件としてあらかじめ通知された各種のオフセット値（例えば、セル毎に異なる値）を含めた値であってよい。
【００４１】
（２−ｉｉ）図６に示されるようなハンドオーバの手続き（処理の手順）において、前記（２−ｉ）以外の場合には、移動端末装置２１−１ａは、ハンドオーバ情報送信制御部２０２により、次のような処理を行う。
すなわち、移動端末装置２１−１ａは、接続していたＰＣｅｌｌ（図５の例では、マクロ基地局装置１−１）のセル番号（ＰＣＩ）、及び、接続していたＰＣｅｌｌにおける移動端末装置２１−１ａの管理番号（Ｃ−ＲＮＴＩ）を、メッセージに含めて、ＳＣｅｌｌ（図５の例では、小セル基地局装置２−３）に対して無線送信して通知する。
【００４２】
（３）ＳＣｅｌｌ（図５の例では、小セル基地局装置２−３）は、前記（２）において移動端末装置２１−１ａから受信した情報（当該情報を含むメッセージ）に基づいて、当該情報に含まれる前記接続していたＰＣｅｌｌのセル番号（ＰＣＩ）を参照し、当該セル番号（ＰＣＩ）に対応するＰＣｅｌｌ（図５の例では、マクロ基地局装置１−１）に対して、従情報送信制御部４０２により、回線（例えば、バックボーン回線であるＸ２回線やＳ１回線など）を介して、前記（２）において移動端末装置２１−１ａから受信した情報を含むメッセージを送信して通知する。これにより、移動端末装置２１−１ａについてＰＣｅｌｌのハンドオーバが失敗したことに関する情報が、ＳＣｅｌｌからＰＣｅｌｌへ通知される。ＰＣｅｌｌは、主情報受信制御部３０３により、この情報を受信する。
そして、ＰＣｅｌｌは、次の（３−ｉ）〜（３−ｉｉ）の処理を行う。
【００４３】
（３−ｉ）ＳＣｅｌｌが移動端末装置２１−１ａから前記（２−ｉ）に係るメッセージを受信してそのメッセージの情報をＰＣｅｌｌへ通知した場合には、ＰＣｅｌｌは、主ハンドオーバ情報記録制御部３０５により、次のような処理を行う。
すなわち、ＰＣｅｌｌは、ＳＣｅｌｌから受信したメッセージに含まれる前記最大の受信電力（ＲＳＲＰ）若しくは受信品質（ＲＳＲＱ）を持つ基地局装置のセル番号（ＰＣＩ）を参照し、当該セル番号（ＰＣＩ）に対応する基地局装置に対するハンドオーバのタイミングが遅かったと判断して、当該基地局装置へのＴｏｏ  Ｌａｔｅ  ＨＯ（ハンドオーバが遅すぎたこと）の発生を記録（記憶）する。
【００４４】
（３−ｉｉ）ＳＣｅｌｌが移動端末装置２１−１ａから前記（２−ｉｉ）に係るメッセージを受信してそのメッセージの情報をＰＣｅｌｌへ通知した場合には、ＰＣｅｌｌは、主情報送信制御部３０４により、次のような処理を行う。
すなわち、ＰＣｅｌｌは、ＳＣｅｌｌから受信したメッセージに含まれる前記接続していたＰＣｅｌｌにおける移動端末装置２１−１ａの管理番号（Ｃ−ＲＮＴＩ）を参照し、当該管理番号（Ｃ−ＲＮＴＩ）に対応する移動端末装置２１−１ａが所定の期間（例えば、Ｔｓｔｏｒｅ＿ＵＥ＿ｃｎｔｘｔ  秒）以内に他の基地局装置からハンドオーバにより移行してきた移動端末装置であるか否かを判定し、そうであると判定した場合には、ハンドオーバ元の基地局装置に対してハンドオーバレポート（Ｈａｎｄｏｖｅｒ  Ｒｅｐｏｒｔ）のメッセージを送信して通知する。これにより、Ｔｏｏ  Ｅａｒｌｙ  ＨＯ（ハンドオーバが早すぎたこと）の発生を検出する。
なお、Ｔｓｔｏｒｅ＿ＵＥ＿ｃｎｔｘｔは、移動端末装置２１−１ａが前回に自己（ここでは、マクロ基地局装置１−１）の配下（セル）に移行してきてから経過した時間に関する値となる。
【００４５】
＜ハンドオーバの手続きの例＞
図６は、ハンドオーバの手続きの一例を示すシーケンス図である。図６の例に係るハンドオーバの手続きは、従来の技術と同様であり、非特許文献１におけるＦｉｇｕｒｅ  １０．１．２．１．１−１：Ｉｎｔｒａ−ＭＭＥ／Ｓｅｒｖｉｎｇ  Ｇａｔｅｗａｙ  ＨＯの手続きに相当する（詳細は、非特許文献１参照。）。
図６は、移動端末装置（ＵＥ）２１と、ハンドオーバの元（Ｓｏｕｒｃｅ）となる基地局装置（ｅＮＢ）１−１と、ハンドオーバの先（Ｔａｒｇｅｔ）となる基地局装置（ｅＮＢ）１−２と、上位の装置であるＭＭＥ（Ｍｏｂｉｌｉｔｙ  Ｍａｎａｇｅｍｅｎｔ  Ｅｎｔｉｔｙ）５０１と、サービングゲートウェイ（Ｓｅｒｖｉｎｇ  Ｇａｔｅｗａｙ）５０２について行われるハンドオーバの手続きの例（手順１）〜（手順１１）を示してある。
【００４６】
図６に示されるハンドオーバの手続きの概要を説明する。
（手順１）移動端末装置２１と現在接続している基地局装置（ハンドオーバ元の基地局装置）１−１から移動端末装置２１へ電力測定条件やＭＲ送信条件を通知する（Ｍｅａｓｕｒｅｍｅｎｔ  Ｃｏｎｔｒｏｌ）。
（手順２）移動端末装置２１は、ＭＲ送信条件を満たすと、現在接続している基地局装置１−１に対して、電力測定結果をＭＲとして通知する（Ｍｅａｓｕｒｅｍｅｎｔ  Ｒｅｐｏｒｔｓ）。
（手順３）現在接続している基地局装置１−１は、受信したＭＲを参照し、ハンドオーバの実施の有無を判定する（ＨＯ  ｄｅｃｉｓｉｏｎ）。
【００４７】
（手順４）ハンドオーバの実施をする場合には、ハンドオーバ元の基地局装置１−１からハンドオーバ先の基地局装置１−２へハンドオーバの実施を要求する（Ｈａｎｄｏｖｅｒ  Ｒｅｑｕｅｓｔ）。
（手順５）ハンドオーバ先の基地局装置１−２は、ハンドオーバの受け入れの可否を判断する（Ａｄｍｉｓｓｉｏｎ  Ｃｏｎｔｒｏｌ）。
（手順６）ハンドオーバの実施を許可する場合には、ハンドオーバ先の基地局装置１−２からハンドオーバ元の基地局装置１−１へハンドオーバの実施の許可を通知する（Ｈａｎｄｏｖｅｒ  Ｒｅｑｕｅｓｔ  Ａｃｋ）。
【００４８】
（手順７）ハンドオーバ元の基地局装置１−１から移動端末装置２１へ、ハンドオーバ先の基地局装置１−２への接続に必要な情報を転送し、ハンドオーバ先の基地局装置１−２へのハンドオーバの実施を指示する（ＲＲＣ  ｃｏｎｎ．  Ｒｅｃｏｎｆ．  ｉｎｃｌ．  ｍｏｂｉｌｉｔｙ  Ｃｏｎｔｒｏｌ  ｉｎｆｏｒｍａｔｉｏｎ）。
（手順８）ハンドオーバ元の基地局装置１−１からハンドオーバ先の基地局装置１−２へ、未送信データを転送する（ＳＮ  Ｓｔａｔｕｓ  Ｔｒａｎｓｆｅｒ）。
（手順９）移動端末装置２１は、ハンドオーバ先の基地局装置１−２に対して、上りリンクの同期処理（Ｎｏｎ−ｃｏｎｔｅｎｔｉｏｎ  ｒａｎｄｏｍ  ａｃｃｅｓｓ  ｐｒｏｃｅｄｕｒｅ）を実施する（Ｓｙｎｃｈｒｏｎｉｓａｔｉｏｎ）。
【００４９】
（手順１０）ハンドオーバ先の基地局装置１−２から移動端末装置２１へ上りリンク（ＵＬ：Ｕｐ  Ｌｉｎｋ）のリソース割り当てを行う（ＵＬ  ａｌｌｏｃａｔｉｏｎ  ＋  ＴＡ  ｆｏｒ  ＵＥ）。
（手順１１）移動端末装置２１からハンドオーバ先の基地局装置１−２へ接続完了を通知する（ＲＲＣ  ｃｏｎｎ．  Ｒｅｃｏｎｆ．  Ｃｏｍｐｌｅｔｅ）。
【００５０】
＜本実施形態の構成及び効果のまとめ＞
以上のように、本実施形態に係る通信システムでは、移動端末装置２１−１ａが複数の基地局装置に同時に接続して無線通信することが可能な構成において、移動端末装置２１−１ａについて、現在における基地局装置（図５の例では、ＰＣｅｌｌであるマクロ基地局装置１−１）との接続を新たな基地局装置（図５の例では、ＰＣｅｌｌとなるマクロ基地局装置１−２）との接続へ切り替えるハンドオーバに失敗したときに、既に接続が確立されている他の基地局装置（図５の例では、ＳＣｅｌｌである小セル基地局装置２−３）を介してハンドオーバ（移動端末装置２１−１ａと接続する基地局装置の切り替え）の失敗の発生を通知することにより、基地局ネットワークにおいて移動端末装置２１−１ａの通信接続断やハンドオーバの失敗をリアルタイムに検知する。
【００５１】
本実施形態に係る通信システムでは、移動端末装置２１−１ａが、ＰＣｅｌｌのハンドオーバに失敗したときに、ハンドオーバの失敗の発生に関する情報をＳＣｅｌｌへ送信して通知する。
本実施形態に係る通信システムでは、ハンドオーバの失敗の発生に関する情報の一例として、ハンドオーバの失敗の発生時にハンドオーバの実行に関するＭＲの送信条件を満たしている場合には、移動端末装置２１−１ａは、ＳＣｅｌｌに通知するメッセージに、接続していたＰＣｅｌｌのセル番号（ＰＣＩ）、接続していたＰＣｅｌｌにおける自己（移動端末装置２１−１ａ）の管理番号（Ｃ−ＲＮＴＩ）、及び、ハンドオーバ失敗の発生時に送信条件を満たしていたＭＲについて、最大の受信電力（ＲＳＲＰ）若しくは受信品質（ＲＳＲＱ）を持つ基地局装置のセル番号（ＰＣＩ）を含める。
本実施形態に係る通信システムでは、ハンドオーバの失敗の発生に関する情報の他の一例として、他の場合（ハンドオーバの失敗の発生時にハンドオーバの実行に関するＭＲの送信条件を満たしていない場合）には、移動端末装置２１−１ａは、ＳＣｅｌｌに通知するメッセージに、接続していたＰＣｅｌｌのセル番号（ＰＣＩ）、及び、接続していたＰＣｅｌｌにおける自己（移動端末装置２１−１ａ）の管理番号（Ｃ−ＲＮＴＩ）を含める。
【００５２】
本実施形態に係る通信システムでは、移動端末装置２１−１ａからハンドオーバの失敗の発生に関する情報を受信したＳＣｅｌｌは、回線（例えば、バックボーン回線であるＸ２回線やＳ１回線など）を介して、ハンドオーバの失敗の発生に関する情報をＰＣｅｌｌへ送信して通知する。
【００５３】
本実施形態に係る通信システムでは、前記したハンドオーバの失敗の発生に関する情報の一例において、ハンドオーバの失敗の発生時にハンドオーバの実行に関するＭＲの送信条件を満たしている場合には、ＰＣｅｌｌは、ＳＣｅｌｌから受信したメッセージに含まれる前記した最大の受信電力（ＲＳＲＰ）若しくは受信品質（ＲＳＲＱ）を持つ基地局装置のセル番号（ＰＣＩ）を参照し、当該セル番号（ＰＣＩ）に対応する基地局装置に対するＴｏｏ  Ｌａｔｅ  ＨＯ（ハンドオーバが遅すぎたこと）の発生を記録（記憶）する。
本実施形態に係る通信システムでは、前記したハンドオーバの失敗の発生に関する情報の他の一例において、他の場合（ハンドオーバの失敗の発生時にハンドオーバの実行に関するＭＲの送信条件を満たしていない場合）には、ＰＣｅｌｌは、ＳＣｅｌｌから受信したメッセージに含まれる前記した接続していたＰＣｅｌｌにおける移動端末装置２１−１ａの管理番号（Ｃ−ＲＮＴＩ）を参照し、当該管理番号（Ｃ−ＲＮＴＩ）に対応する移動端末装置２１−１ａが所定の期間（例えば、Ｔｓｔｏｒｅ＿ＵＥ＿ｃｎｔｘｔ  秒）以内に他の基地局装置からハンドオーバにより移行してきた移動端末装置であると判定した場合には、ハンドオーバ元の基地局装置に対してハンドオーバレポートのメッセージを送信して通知する。
【００５４】
以上のように、本実施形態に係る通信システムによると、移動端末装置２１−１ａについて発生したハンドオーバの失敗を基地局ネットワークがリアルタイムに検知することができる。また、本実施形態に係る通信システムによると、例えば、従来と比べて、移動端末装置２１−１ａが通信接続断やハンドオーバの失敗に関する情報を長期間保持する必要をなくすことができる。このように、本実施形態に係る通信システムによると、ハンドオーバにおける効率化を図ることができる。
【００５５】
［以上の実施形態に係る構成例］
一構成例として、基地局装置（図５の例では、マクロ基地局装置１−１〜１−２や小セル基地局装置２−３）との間で無線により通信する無線通信部（本実施形態では、無線通信部１０２）と、前記無線通信部により、主となる基地局装置（本実施形態では、ＰＣｅｌｌ）との間で無線通信が可能となるように接続するとともに、従となる基地局装置（本実施形態では、ＳＣｅｌｌ）との間で無線通信が可能となるように接続する接続制御部（本実施形態では、接続制御部２０１）と、前記主となる基地局装置のハンドオーバの失敗の発生に関する情報を前記無線通信部により前記従となる基地局装置へ無線により送信するハンドオーバ情報送信制御部（本実施形態では、ハンドオーバ情報送信制御部２０２）と、を備えることを特徴とする端末装置（図５の例では、移動端末装置２１−１ａ）である。
【００５６】
一構成例として、端末装置では、前記ハンドオーバ情報送信制御部は、前記主となる基地局装置のハンドオーバの失敗の発生時にハンドオーバの実行に関するＭＲの送信条件を満たしている場合には、前記従となる基地局装置へ送信するメッセージに、接続していた前記主となる基地局装置のセル番号（例えば、ＰＣＩ）、接続していた前記主となる基地局装置における自己の管理番号（例えば、Ｃ−ＲＮＴＩ）、及び、ハンドオーバ失敗の発生時に送信条件を満たしていたＭＲについて、最大の受信電力（若しくは、受信品質）を持つ基地局装置のセル番号（例えば、ＰＣＩ）を含める、ことを特徴とする。
【００５７】
一構成例として、端末装置では、前記ハンドオーバ情報送信制御部は、前記主となる基地局装置のハンドオーバの失敗の発生時にハンドオーバの実行に関するＭＲの送信条件を満たしていない場合には、前記従となる基地局装置へ送信するメッセージに、接続していた前記主となる基地局装置のセル番号（例えば、ＰＣＩ）、及び、接続していた前記主となる基地局装置における自己の管理番号（例えば、Ｃ−ＲＮＴＩ）を含める、ことを特徴とする。
【００５８】
一構成例として、端末装置（図５の例では、移動端末装置２１−１ａ）との間で無線により通信する無線通信部（本実施形態では、無線通信部１２２、１４２）と、従となる基地局装置（本実施形態では、ＳＣｅｌｌ）として前記無線通信部により端末装置との間で無線通信が可能であるように接続しているときに、前記端末装置から前記主となる基地局装置（本実施形態では、ＰＣｅｌｌ）のハンドオーバの失敗の発生に関する情報を受信する従情報受信制御部（本実施形態では、従情報受信制御部３０１、４０１）と、前記従情報受信制御部により受信した情報のうちの全部（又は、一部）の情報を前記主となる基地局装置へ送信する従情報送信制御部（本実施形態では、従情報送信制御部３０２、４０２）と、を備えることを特徴とする基地局装置（図５の例では、マクロ基地局装置１−１〜１−２や小セル基地局装置２−３）である。
【００５９】
一構成例として、端末装置（図５の例では、移動端末装置２１−１ａ）との間で無線により通信する無線通信部（本実施形態では、無線通信部１２２、１４２）と、従となる基地局装置（本実施形態では、ＳＣｅｌｌ）から情報を受信する主情報受信制御部（本実施形態では、主情報受信制御部３０３、４０３）と、主となる基地局装置（本実施形態では、ＰＣｅｌｌ）として前記無線通信部により端末装置との間で無線通信が可能であるように接続していた当該端末装置において、ハンドオーバの失敗の発生時にハンドオーバの実行に関するＭＲの送信条件を満たしている場合に、前記主情報受信制御部により受信した情報に含まれる最大の受信電力（若しくは、受信品質）を持つ基地局装置のセル番号を参照し、当該セル番号に対応する基地局装置について、ハンドオーバが遅すぎたことの発生を記録する主ハンドオーバ情報記録制御部（本実施形態では、主ハンドオーバ情報記録制御部３０５、４０５）と、を備えることを特徴とする基地局装置（図５の例では、マクロ基地局装置１−１〜１−２や小セル基地局装置２−３）である。
【００６０】
一構成例として、端末装置（図５の例では、移動端末装置２１−１ａ）との間で無線により通信する無線通信部（本実施形態では、無線通信部１２２、１４２）と、従となる基地局装置（本実施形態では、ＳＣｅｌｌ）から情報を受信する主情報受信制御部（本実施形態では、主情報受信制御部３０３、４０３）と、主となる基地局装置（本実施形態では、ＰＣｅｌｌ）として前記無線通信部により端末装置との間で無線通信が可能であるように接続していた当該端末装置において、ハンドオーバの失敗の発生時にハンドオーバの実行に関するＭＲの送信条件を満たしていない場合に、前記主情報受信制御部により受信した情報に含まれる前記端末装置の管理番号（例えば、Ｃ−ＲＮＴＩ）を参照し、当該管理番号に対応する前記端末装置が所定の期間以内に他の基地局装置からハンドオーバにより移行してきたか否かを判定し、そうであると判定した場合に、ハンドオーバ元の基地局装置に対して所定のハンドオーバレポートのメッセージを送信する主情報送信制御部（本実施形態では、主情報送信制御部３０４、４０４）と、を備えることを特徴とする基地局装置（図５の例では、マクロ基地局装置１−１〜１−２や小セル基地局装置２−３）である。
【００６１】
一構成例として、端末装置と、複数の基地局装置を有し、前記端末装置は、主となる基地局装置のハンドオーバの失敗の発生に関する情報を従となる基地局装置へ無線により送信し、前記従となる基地局装置は、前記端末装置から前記主となる基地局装置のハンドオーバの失敗の発生に関する情報を受信して、受信した情報のうちの全部又は一部の情報を前記主となる基地局装置へ送信し、前記主となる基地局装置は、前記従となる基地局装置から前記情報を受信する、ことを特徴とする通信システム（本実施形態では、図１や図５に示されるような通信システム）である。
【００６２】
一構成例として、端末装置は、主となる基地局装置のハンドオーバの失敗の発生に関する情報を従となる基地局装置へ無線により送信し、前記従となる基地局装置は、前記端末装置から前記主となる基地局装置のハンドオーバの失敗の発生に関する情報を受信して、受信した情報のうちの全部又は一部の情報を前記主となる基地局装置へ送信し、前記主となる基地局装置は、前記従となる基地局装置から前記情報を受信する、ことを特徴とする通信方法（本実施形態では、図１や図５に示されるような通信システムにおいて行われる通信方法）である。
【００６３】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００６４】
また、以上に示した各実施形態に係る各装置（例えば、移動端末装置、基地局装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【００６５】
なお、ここで言う「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【００６６】
更に、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。更に、前述した機能をコンピュータシステムに既に記録されているプログラムとの組み合わせで実現できるもの、いわゆる差分ファイル（差分プログラム）であっても良い。
【符号の説明】
【００６７】
１、１−１〜１−２、１００１−１〜１００１−２…マクロ基地局装置、２、２−１〜２−３、１００２−１…小セル基地局装置、１１−１〜１１−２、１２−１〜１２−３、１０１１−１〜１０１１−２、１０１２−１…セル（通信領域）、２１、２１−１、２１−１ａ〜２１−１ｂ、１０２１−１ａ〜１０２１−１ｂ…移動端末装置、１０１、１２１、１４１…アンテナ、１０２、１２２、１４２…無線通信部、１０３…入力部、１０４…出力部、１０５、１２４、１４４…記憶部、１０６、１２５、１４５…制御部、１２３、１４３…通信部、２０１…接続制御部、２０２…ハンドオーバ情報送信制御部、３０１、４０１…従情報受信制御部、３０２、４０２…従情報送信制御部、３０３、４０３…主情報送信制御部、３０４、４０４…主情報送信制御部、３０５、４０５…主ハンドオーバ情報記録制御部、５０１…ＭＭＥ、５０２…サービングゲートウェイ
【図１】
2014165825.tif 000003
【図２】
2014165825.tif 000004
【図３】
2014165825.tif 000005
【図４】
2014165825.tif 000006
【図５】
2014165825.tif 000007
【図６】
2014165825.tif 000008
【図７】
2014165825.tif 000009